(57)【要約】 【課題】  高調波の影響を低減するとともに、相間電圧の不平衡が起こりにくいように構成した電力調整装置を提供する。【解決手段】  一端側が３相４線式電源の対応する相の入力端Ｕ，Ｖ，Ｗに接続され、他端側が電源の対応する相の供給端ｕ，ｖ，ｗに接続された主巻線１０ｕ，１０ｖ，１０ｗと、一端側が第１の接続部２３ｕ，２３ｖ，２３ｗを介して電源の対応する相の供給端ｕ，ｖ，ｗに接続された制御巻線２１ｕ，２１ｖ，２１ｗと、制御巻線２１ｕ，２１ｖ，２１ｗの他端側同士が接続されて形成される中性点ｎとを備え、第１の接続部２３ｕ，２３ｖ，２３ｗの電磁開閉接点の開／閉成に応じて、入力端Ｕ，Ｖ，Ｗに供給される電源電圧の大きさＶｉを前記供給端から調整出力し、主巻線１０ｕ，１０ｖ，１０ｗ及び制御巻線それぞれを千鳥結線で３相内鉄心に巻装した。【選択図】  図１
2005208771.tif 000002
【特許請求の範囲】
【請求項１】
３相４線式電源の各相に対応して設けられ、一端側が該電源の対応する相の入力端側に接続され、他端側が該電源の対応する相の供給端側に接続された主巻線と、
前記電源の各相に対応して設けられ、一端側が第１の開閉手段を介して前記電源の対応する相の供給端側に接続された制御巻線と、
前記電源の各相に対応した制御巻線の他端側同士が接続されて形成される中性点と、
を備え、前記第１の開閉手段の開／閉に応じて、前記電源から前記入力端に供給される電源電圧の大きさを前記供給端から調整出力する電力調整装置であって、
前記主巻線及び前記制御巻線それぞれを千鳥結線で３相内鉄心に巻装した
ことを特徴とする電力調整装置。
【請求項２】
前記制御巻線は、互いに一端側と他端側とが直列接続された第１の制御巻線と第２の制御巻線とを備え、
他端側が前記中性点に接続される該第１の制御巻線は、一端側が第２の開閉手段を介して前記電源の対応する相の供給端側に接続され、
他端側が前記第１の制御巻線の一端側に接続される該第２の制御巻線は、一端側が前記第１の開閉手段を介して前記電源の対応する相の供給端側に接続され、
前記主巻線及び前記第１、第２の制御巻線それぞれを千鳥結線で３相内鉄心に巻装してなる
ことを特徴とする請求項１記載の電力調整装置。
【請求項３】
互いに一端側と他端側とが直列接続され、それぞれ千鳥結線で３相内鉄心に巻装された前記第１の制御巻線及び前記第２の制御巻線は、巻線の極性が互いに反対向きである
ことを特徴とする請求項２記載の電力調整装置。
【請求項４】
前記電源の各相に対応して設けられた制御巻線における直列接続された前記第１制御巻線の一端側又は第２の制御巻線の他端側は、隣接する相に対応して設けられている前記制御巻線における直列接続された前記第１制御巻線の一端側又は第２の制御巻線の他端側に、第３の開閉手段を介して接続されている
ことを特徴とする請求項２又は３記載の電力調整装置。
【請求項５】
前記第１の開閉手段と並列に、前記制御巻線の一端側と前記電源の対応する相の供給端側との間には、直列接続された抵抗及び第４の開閉手段から構成されるつなぎ回路部を備えている
ことを特徴とする請求項１〜４記載の電力調整装置。
【請求項６】
前記供給端から供給される供給電圧の大きさに応じて、前記開閉手段を開閉制御する制御回路
を備えている特徴とする請求項１〜５記載の電力調整装置。
【請求項７】
前記制御巻線の他端側同士が接続されて形成される中性点は、前記電源の中性点と接点自動復帰機能付き開閉器を介して接続されている
ことを特徴とする請求項１〜６記載の電力調整装置。
【発明の詳細な説明】
【技術分野】
【０００１】
本発明は、負荷への供給電圧が予め設定された範囲に対して上昇又は降下している場合には、予め設定された範囲の電圧が負荷へ供給されるように調整する電力調整装置に係り、特にその中の３相４線式の電力調整装置に関する。
【背景技術】
【０００２】
一般に、電気機器は、電源電圧（例えば、商用電源電圧）が温度，負荷等の外部影響を受けて変動を生じる場合であっても、定格作動すなわち正常に作動できる定格使用範囲を有している。通常の電気機器では、その供給電圧に関して、例えば定格電圧±１０％程度の定格使用範囲を設け、この定格使用範囲内であれば定格作動できるように設計されている。
【０００３】
そこで、この電気機器に対する供給電圧を、定格使用範囲内の下限値寄りの電圧であっても電圧変動を抑えて安定的に供給できるようにすれば、電気機器の正常な作動が保障され、しかも、実際の電源電圧に対するこの供給電圧の電圧降下分が、消費電力の節約になる。
【０００４】
そのために、予め定められた複数の降下電圧、例えば、定格電圧の０％，４％，６％といった降下電圧の中から一つ降下電圧を実際の電源電圧の値に応じて選択し、実際の電源電圧をこの選択した降下電圧分だけ降下させて、負荷としての電気機器に供給出力する構成の節電装置が、特開２００１−１２５６５２号公開公報（特許文献１）等により示されている。
【０００５】
この種の節電装置では、電源の各線毎に主巻線を接続し、これら主巻線を介して、負荷としての電気機器に作動電圧を供給する構成になっている。そして、各主巻線における電気機器（すなわち、負荷）が接続される側の作動電圧の供給端には、１組又は複数組の制御巻線や、この制御巻線をバイパスするバイパス線路がそれぞれ接続され、これら１組又は複数組の制御巻線やバイパス線路は、自動又は手動による切換手段を介して他の主巻線（すなわち、別の主巻線）における作動電圧の供給端に対してそれぞれ接続制御される構成になっている。その上で、この種の節電装置では、上記主巻線と複数組の制御巻線やバイパス線路との接続組み合わせにより単巻変圧器を構成し、主巻線における作動電圧の供給端の出力電圧を、実際の電源電圧（すなわち、電源の各線の電圧）に対して、例えば０％，４％，６％の中のいずれか降下させた値に調整でき、負荷としての電気機器に供給される供給電圧が調整可能になっている。
【特許文献１】特開２００１−１２５６５２号公開公報
【発明の開示】
【発明が解決しようとする課題】
【０００６】
ところが、上述した構成の節電装置を３相の商用電源に適用し、その相電圧をこの節電装置を介して単相負荷としての電気機器の供給電圧に利用した場合、すなわち、３相（Ｕ，Ｖ，Ｗ）の商用電源の一相に対応する節電装置の作動電圧の供給端と、中性点（Ｎ相）との間に単相負荷を接続するようにした場合は、この単相負荷としての電気機器から発生する高調波が節電装置及び商用電源のこの一相や中性点に重畳し、節電装置及び商用電源の他の各相にも影響を与えて高調波を増加させる環境になり易い、といった問題点があった。
【０００７】
また、節電装置を、例えば、３相（Ｕ，Ｖ，Ｗ）に対応する供給端に動力用の三相電源として利用するとともに、その一相に対応する供給端と中性点を電灯用の単相電源として使用する灯動共用で利用する場合は、相間電圧の不平衡が起こり易い、といった問題点があった。
【０００８】
本発明は、上述した問題点を鑑みてなされたものであって、高調波の影響を低減するとともに、相間電圧の不平衡が起こりにくいように構成した電力調整装置を提供することを目的とする。
【課題を解決するための手段】
【０００９】
本発明の電力調整装置は、３相４線式電源の各相に対応して設けられ、一端側が該電源の対応する相の入力端側に接続され、他端側が該電源の対応する相の供給端側に接続された主巻線と、前記電源の各相に対応して設けられ、一端側が第１の開閉手段を介して前記電源の対応する相の供給端側に接続された制御巻線と、前記電源の各相に対応した制御巻線の他端側同士が接続されて形成される中性点と、を備え、前記第１の開閉手段の開／閉に応じて、前記電源から前記入力端に供給される電源電圧の大きさを前記供給端から調整出力する３相４線式電源装置であって、前記主巻線及び前記制御巻線それぞれを千鳥結線で３相内鉄心に巻装したことを特徴とする。
【００１０】
また、本発明の電力調整装置の前記制御巻線は、前記制御巻線は、互いに一端側と他端側とが直列接続された第１の制御巻線と第２の制御巻線とを備え、他端側が前記中性点に接続される該第１の制御巻線は、一端側が第２の開閉手段を介して前記電源の対応する相の供給端側に接続され、他端側が前記第１の制御巻線の一端側に接続される該第２の制御巻線は、一端側が前記第１の開閉手段を介して前記電源の対応する相の供給端側に接続され、前記主巻線及び前記第１、第２の制御巻線それぞれを千鳥結線で３相内鉄心に巻装してなることを特徴とする。
【００１１】
また、互いに一端側と他端側とが直列接続され、それぞれ千鳥結線で３相内鉄心に巻装された前記第１の制御巻線及び前記第２の制御巻線は、巻線の極性が互いに反対向きであることを特徴とする。
【００１２】
また、前記電源の各相に対応して設けられた制御巻線における直列接続された前記第１制御巻線の一端側又は第２の制御巻線の他端側は、隣接する相に対応して設けられている前記制御巻線における直列接続された前記第１制御巻線の一端側又は第２の制御巻線の他端側に、第３の開閉手段を介して接続されていることを特徴とする。
【００１３】
また、前記第１の開閉手段と並列に、前記制御巻線の一端側と前記電源の対応する相の供給端側との間には、直列接続された抵抗及び第４の開閉手段から構成されるつなぎ回路部を備えていることを特徴とする。
【００１４】
また、前記供給端から供給される供給電圧の大きさに応じて、前記開閉手段を開閉制御する制御回路を備えている特徴とする。
【００１５】
また、前記制御巻線の他端側同士が接続されて形成される中性点は、前記電源の中性点と接点自動復帰機能付き開閉器を介して接続されていることを特徴とする。
【発明の効果】
【００１６】
以上、本発明の電力調整装置によれば、３相４線式電源装置のいずれかに一相の供給端と中性点との間に単相負荷としての電気機器を接続した場合であっても、この単相負荷としての電気機器から発生する高調波が節電装置及び３相４線式電源のこの一相や中性点に重畳し、節電装置及び商用電源の他の各相にも影響を与えて高調波を増加させることを防ぐことができる。
【００１７】
また、相間電圧の不平衡が生じた場合であっても、それぞれ千鳥結線で形成された主巻線及び制御巻線によって、相間電圧の不平衡を抑制することができる。
【発明を実施するための最良の形態】
【００１８】
本発明の電力調整装置を、Ｕ相，Ｖ相，Ｗ相を有する３相４線式の商用電源（以下、単に電源と称する）に適用した場合の一実施の形態について、図面とともに説明する。
【００１９】
図１は、本実施の形態の電力調整装置の構成図である。
本実施の形態の電力調整装置１は、巻線回路部２と、制御回路部３とを備えて構成されている。
【００２０】
巻線回路部２は、電源のＵ相，Ｖ相，Ｗ相の各相入力に対応させて、一端側が対応する相の入力端Ｕ，Ｖ，Ｗに接続されている主巻線１０ｕ，１０ｖ，１０ｗを有する。この主巻線１０ｕ，１０ｖ，１０ｗの他端側は、図示せぬ負荷としての電気機器に対する、電源のＵ相，Ｖ相，Ｗ相に対応した作動電圧の供給端ｕ，ｖ，ｗになっている。
【００２１】
また、巻線回路部２は、電源のＵ相，Ｖ相，Ｗ相の各相入力に対応させて設けられた制御巻線部２０ｕ，２０ｖ，２０ｗを有する。制御巻線部２０ｕ，２０ｖ，２０ｗの一端側は、対応する相の作動電圧の供給端ｕ，ｖ，ｗに接続され、他端側は互いに接続されて中性点ｎになっている。
【００２２】
制御巻線部２０ｕ，２０ｖ，２０ｗは、入力端Ｕ，Ｖ，Ｗに供給される電源のＵ相，Ｖ相，Ｗ相の相電圧Ｖｉ(ｕ)，Ｖｉ(ｖ)，Ｖｉ(ｗ)の大きさ（実効値）Ｖｉを、一乃至複数段階に降下させることができるように、各相毎に、制御巻線を備えている。
【００２３】
本実施の形態の場合においては、制御巻線部２０ｕ，２０ｖ，２０ｗは、入力端Ｕ，Ｖ，Ｗに供給される電源のＵ相，Ｖ相，Ｗ相の相電圧Ｖｉ(ｕ)，Ｖｉ(ｖ)，Ｖｉ(ｗ)の大きさ（実効値）Ｖｉを、２段階に降下させることができるように、各相毎に、第１の制御巻線２１ｕ，２１ｖ，２１ｗ及び第２の制御巻線２２ｕ，２２ｖ，２２ｗから構成される制御巻線を備えている。
【００２４】
第１の制御巻線２１ｕ，２１ｖ，２１ｗの一端側は、第２の制御巻線２２ｕ，２２ｖ，２２ｗの他端側に接続され、制御巻線は、第１の制御巻線２１ｕ，２１ｖ，２１ｗと第２の制御巻線２２ｕ，２２ｖ，２２ｗとが、直列接続された構成になっている。
【００２５】
このように構成された各制御巻線においては、第１の制御巻線２１ｕ，２１ｖ，２１ｗの一端側と第２の制御巻線２２ｕ，２２ｖ，２２ｗの他端側との接続部分が、各制御巻線におけるタップ１ｕ，１ｖ，１ｗを構成し、第１の制御巻線２１ｕ，２１ｖ，２１ｗの他端側が各制御巻線におけるタップｕｎ，ｖｎ，ｗｎを構成し、第２の制御巻線２２ｕの一端側が、制御巻線におけるタップ２ｕ，２ｖ，２ｗを構成するようになっている。
【００２６】
その上で、各制御巻線のタップｕｎ，ｖｎ，ｗｎ、すなわち第１の制御巻線２１ｕ，２１ｖ，２１ｗの他端側は互いに接続されて、第１の制御巻線２１ｕ，２１ｖ，２１ｗと第２の制御巻線２２ｕ，２２ｖ，２２ｗとが直列接続されて構成されたＵ相，Ｖ相，Ｗ相の制御巻線はＹ結線されて、その接続部は前述した中性点ｎになっている。そして、中性点ｎは、自動復帰機能付き開閉器５５を介して電源（３相４線式の商用電源）の中性点（Ｎ相）Ｎに接続されている。自動復帰機能付き開閉器５５としては、予め設定された回路電圧の大きさに対応して自動開閉する開閉器、サーモスタットを備え予め設定された回路の発熱量に対応して自動開閉する開閉器等が用いられる。
【００２７】
これに対し、各制御巻線におけるタップ１ｕ，１ｖ，１ｗ、すなわち第１の制御巻線２１ｕ，２１ｖ，２１ｗの一端側及び第２の制御巻線２２ｕ，２２ｖ，２２ｗの他端側は、常開の電磁開閉器接点部ｘ３ｕ，ｘ３ｖ，ｘ３ｗによって構成される第１の接続部（第２の開閉手段に対応）２３ｕ，２３ｖ，２３ｗを介して、対応する各相の作動電圧の供給端ｕ，ｖ，ｗとブレーカ（ＭＣＣＢ）２７ｕ，２７，２７ｗを介在させて接続されている。
【００２８】
また、各制御巻線におけるタップ１ｕ，１ｖ，１ｗ、すなわち第１の制御巻線２１ｕ，２１ｖ，２１ｗの一端側及び第２の制御巻線２２ｕ，２２ｖ，２２ｗの他端側は、常閉の電磁開閉器接点部ｘ０ｕ，ｘ０ｖ，ｘ０ｗによって構成されるバイパス部（第３の開閉手段に対応）２４ｕ，２４ｖ，２４ｗを介して、相回転方向隣りの制御巻線におけるタップ１ｖ，１ｗ，１ｕとも接続されている。
【００２９】
また、各制御巻線におけるタップ２ｕ，２ｖ，２ｗ、すなわち第２の制御巻線２２ｕ，２２ｖ，２２ｗの一端側は、常開の電磁開閉器接点部ｘ２ｕ，ｘ２ｖ，ｘ２ｗによって構成される第２の接続部（第１の開閉手段に対応）２５ｕ，２５ｖ，２５ｗを介して、対応する各相の作動電圧の供給端ｕ，ｖ，ｗと同様にブレーカ２７ｕ，２７，２７ｗを介在させて接続されている。
【００３０】
また、各制御巻線におけるタップ２ｕ，２ｖ，２ｗ、すなわち第２の制御巻線２２ｕ，２２ｖ，２２ｗの一端側は、抵抗Ｒｕ，Ｒｖ，Ｒｗと常開の電磁開閉器接点部ｘＲｕ，ｘＲｖ，ｘＲｗ（第４の開閉手段に対応）とを直列接続して構成され、第２の接続部２５ｕ，２５ｖ，２５ｗに対して並列に設けられたつなぎ回路部２６を介しても、対応する各相の作動電圧の供給端ｕ，ｖ，ｗとブレーカ２７ｕ，２７，２７ｗを介在させて接続されている。
【００３１】
そして、制御巻線部２０ｖ，２０ｗ，２０ｕが接続されたＵ相，Ｖ相，Ｗ相それぞれの作動電圧の供給端ｕ，ｖ，ｗは、アレスタ（避雷器）２８ｕ，２８ｖ，２８ｗを介して接地されている。
【００３２】
ここで、上述のように構成された巻線回路部２における各主巻線１０ｕ，１０ｖ，１０ｗ、第１の制御巻線２１ｕ，２１ｖ，２１ｗ、及び第２の制御巻線２２ｕ，２２ｖ，２２ｗの構成について詳述する。
【００３３】
巻線回路部２における各主巻線１０ｕ，１０ｖ，１０ｗ、各第１の制御巻線２１ｕ，２１ｖ，２１ｗ、及び各第２の制御巻線２２ｕ，２２ｖ，２２ｗは、それぞれが図示せぬ３相内鉄心に千鳥結線で巻装された構成になっている。
【００３４】
図１に示すように、主巻線１０ｕは、３相内鉄心のＵ相部分に巻装されたＵ相巻装部１０ｕ(ｕ)と、相回転方向隣りのＶ相部分にＵ相巻装部１０ｕ(ｕ)に対して極性を逆向きにして巻装されたＶ相巻装部１０ｕ(ｖ)とを有する千鳥結線になっている。また、主巻線１０ｖは、３相内鉄心のＶ相部分に巻装されたＶ相巻装部１０ｖ(ｖ)と、相回転方向隣りのＷ相部分にＶ相巻装部１０Ｖ(ｖ)に対して極性を逆向きにして巻装されたＷ相巻装部１０Ｖ(ｗ)とを有する千鳥結線になっている。また、主巻線１０ｗは、３相内鉄心のＷ相部分に巻装されたＷ相巻装部１０ｗ(ｗ)と、相回転方向隣りのＵ相部分にＷ相巻装部１０ｗ(ｗ)に対して極性を逆向きにして巻装されたＵ相巻装部１０ｗ(ｕ)とを有する千鳥結線になっている。
【００３５】
これに対して、Ｕ相に対応する制御巻線の場合、第１の制御巻線２１ｕは、主巻線１０ｕのＵ相巻装部１０ｕ(ｖ)と同様に、３相内鉄心のＵ相部分にこのＵ相巻装部１０ｕ(ｕ)に対して同極性で巻装されたＵ相巻装部２１ｕ(ｕ)と、主巻線１０ｕのＶ相巻装部１０ｕ(ｖ)と同様に、Ｖ相部分に主巻線１０ｕのＵ相巻装部１０ｕ(ｕ)に対して極性を逆向きにして巻装されたＶ相巻装部２１ｕ(ｖ)とを有する千鳥結線になっている。そして、第２の制御巻線２２ｕは、主巻線１０ｕのＶ相巻装部１０ｕ(ｖ)と同様に、３相内鉄心のＶ相部分に主巻線１０ｕのＵ相巻装部１０ｕ(ｕ)に対して極性を逆向きにして巻装されたＶ相巻装部２２ｕ(ｖ)と、主巻線１０ｕのＵ相巻装部１０ｕ(ｕ)と同様に、Ｕ相部分にこのＵ相巻装部１０ｕ(ｕ)に対して同極性で巻装されたＵ相巻装部２２ｕ(ｕ)とを有する千鳥結線になっている。
【００３６】
また、Ｖ相に対応する制御巻線の場合、第１の制御巻線２１ｖは、主巻線１０ｖのＶ相巻装部１０ｖ(ｖ)と同様に、３相内鉄心のＶ相部分にこのＶ相巻装部１０ｖ(ｖ)に対して同極性で巻装されたＵ相巻装部２１ｖ(ｖ)と、主巻線１０ｖのＷ相巻装部１０ｖ(ｗ)と同様に、Ｗ相部分に主巻線１０ｖのＶ相巻装部１０ｖ(ｖ)に対して極性を逆向きにして巻装されたＶ相巻装部２１ｖ(ｗ)とを有する千鳥結線になっている。そして、第２の制御巻線２２ｖは、主巻線１０ｖのＷ相巻装部１０ｖ(ｗ)と同様に、３相内鉄心のＷ相部分に主巻線１０ｖのＶ相巻装部１０ｖ(ｖ)に対して極性を逆向きにして巻装されたＷ相巻装部２２ｖ(ｗ)と、主巻線１０ｖのＶ相巻装部１０ｖ(ｖ)と同様に、Ｖ相部分にこのＶ相巻装部１０ｖ(ｖ)に対して同極性で巻装されたＶ相巻装部２２ｖ(ｖ)とを有する千鳥結線になっている。
【００３７】
また、Ｗ相に対応する制御巻線の場合、第１の制御巻線２１ｗは、主巻線１０ｗのＷ相巻装部１０ｗ(ｗ)と同様に、３相内鉄心のＷ相部分にこのＷ相巻装部１０ｗ(ｗ)に対して同極性で巻装されたＷ相巻装部２１ｗ(ｗ)と、主巻線１０ｗのＵ相巻装部１０ｗ(ｕ)と同様に、Ｕ相部分に主巻線１０ｗのＷ相巻装部１０ｗ(ｗ)に対して極性を逆向きにして巻装されたＵ相巻装部２１ｗ(ｕ)と有する千鳥結線になっている。第２の制御巻線２２ｗは、主巻線１０ｗのＵ相巻装部１０ｗ(ｕ)と同様に、３相内鉄心のＵ相部分に主巻線１０ｗのＷ相巻装部１０ｗ(ｗ)に対して極性を逆向きにして巻装されたＵ相巻装部２２ｗ(ｕ)と、主巻線１０ｗのＷ相巻装部１０ｗ(ｗ)と同様に、Ｗ相部分にこのＷ相巻装部１０ｗ(ｗ)に対して同極性で巻装されたＷ相巻装部２２ｗ(ｗ)とを有する千鳥結線になっている。
【００３８】
なお、図１では、これら上述した相巻装部についての巻線の極性については、図中に記載した符号“・”の配置を利用して表している。
【００３９】
このように、それぞれ千鳥結線により構成された各相の主巻線１０，第１の制御巻線２１，第２の制御巻線２２は、３相内鉄心に対して、第１の制御巻線２１が主巻線１０と同様な巻相順及び極性の券装構成となっており、第２の制御巻線２２が、主巻線１０及び第１の制御巻線２１とは巻相順及び極性が逆の券装構成になっている。
【００４０】
この結果、Ｕ相の制御巻線では、第１の制御巻線２１ｕのＵ相巻装部２１ｕ(ｕ)の一端側と第２の制御巻線２２ｕのＵ相巻装部２２ｕ(ｕ)の他端側とが接続されて、第１の制御巻線２１ｕのＵ相巻装部２１ｕ(ｕ)と第２の制御巻線２２ｕのＵ相巻装部２１ｕ(ｕ)とは、３相内鉄心の同じＵ相部分に同じ極性で券装されることになる。同様に、Ｖ相の制御巻線では、第１の制御巻線２１ｖのＶ相巻装部２１ｖ(ｖ)と第２の制御巻線２２ｖのＵ相巻装部２２ｖ(ｖ)とは、３相内鉄心の同じＶ相部分に同じ極性で券装されることになる。同様に、Ｗ相の制御巻線では、第１の制御巻線２１ｗのＷ相巻装部２１ｗ(ｗ)と第２の制御巻線２２ｗのＷ相巻装部２２ｗ(ｗ)とは、３相内鉄心の同じＷ相部分に同じ極性で券装されることになる。
【００４１】
図２は、各相の主巻線，第１の制御巻線，及び第２の制御巻線の券装状態を表わした図である。なお、図２においては、図１と同一部分については、同一符号を付してある。
【００４２】
図２に示すように、本実施の形態では、第１の制御巻線２１ｕ，２１ｖ，２１ｗと第２の制御巻線２２ｕ，２２ｖ，２２ｗとに関して、巻相順及び極性が逆の券装構成になっているため、第１の制御巻線２１ｕのＵ相巻装部２１ｕ(ｕ)と第２の制御巻線２２ｕのＵ相巻装部２２ｕ(ｕ)，第１の制御巻線２１ｖのＶ相巻装部２１ｖ(ｖ)と第２の制御巻線２２ｖのＶ相巻装部２２ｖ(ｖ)，第１の制御巻線２１ｗのＷ相巻装部２１ｗ(ｗ)と第２の制御巻線２２ｗのＷ相巻装部２２ｗ(ｗ)を、３相内鉄心の同じＵ，Ｖ，Ｗ相部分に同じ極性で券装することができるため、第１の制御巻線２１及び第２の制御巻線２２の３相内鉄心の
異なる相部分間の架け渡し回数を、必要最低限に抑えることができる。
【００４３】
本実施の形態では、それぞれ千鳥結線で形成した各主巻線１０ｕ，１０ｖ，１０ｗ、各第１の制御巻線２１ｕ，２１ｖ，２１ｗ、及び各第２の制御巻線２２ｕ，２２ｖ，２２ｗにおいて、各巻線１０ｕ，１０ｖ，１０ｗ，２１ｕ，２１ｖ，２１ｗ，２２ｕ，２２ｖ，２２ｗそれぞれの千鳥部分である、一端側の巻装部１０ｕ(ｕ)，１０ｖ(ｖ)，１０ｗ(ｗ)，２１ｕ(ｕ)，２１ｖ(ｖ)，２１ｗ(ｗ)，２２ｕ(ｖ)，２２ｖ(ｗ)，２２ｗ(ｕ)と、他端側の巻装部１０ｕ(ｖ)，１０ｖ(ｗ)，１０ｗ(ｕ)，２１ｕ(ｖ)，２１ｖ(ｗ)，２１ｗ(ｕ)，２２ｕ(ｕ)，２２ｖ(ｖ)，２２ｗ(ｗ)との巻数比は同じになっている。
【００４４】
これに対して、それぞれ千鳥結線で形成した主巻線１０（１０ｕ，１０ｖ，１０ｗ）と、第１の制御巻線２１（２１ｕ，２１ｖ，２１ｗ）と、第２の制御巻線２２（２２ｕ，２２ｖ，２２ｗ）との巻数比は、本実施の形態では、各相の作動電圧の供給端ｕ，ｖ，ｗから供給される供給電圧Ｖｏ(ｕ)，Ｖｏ(ｖ)，Ｖｏ(ｗ)の大きさＶｏとして、電源から入力される各相電圧Ｖｉ(ｕ)，Ｖｉ(ｖ)，Ｖｉ(ｗ)の大きさＶｉを０％分だけ降下させた電圧Ｖｏ(０％)、４％分だけ降下させた電圧Ｖｏ(４％)、又は６％分だけ降下させた電圧Ｖｏ(６％)の中のいずれかを適宜得られるように、主巻線１０を“６”とすると、第１の制御巻線２１は“９８”、第２の制御巻線２２は“４８”の比関係になっている。
【００４５】
次に、図１に戻り、制御回路部３の構成について説明する。
制御回路部３は、Ｕ相，Ｖ相，Ｗ相の作動電圧の供給端ｕ，ｖ，ｗの中の何れか一つの供給端（図示の例では、Ｕ相の供給端ｕ）と、中性点Ｎ及びｎを接続する中性線Ｎ−ｎとの間に設けられたＰＬＣ（programmable logic circuit）回路３１等によって構成されている。
【００４６】
ＰＬＣ回路３１には、電源入力回路３２を介して、駆動用の交流電圧が供給される。電源入力回路３２は、内部に、サージサプレッサ回路，ノイズフィルタ回路等を備えている。電源入力回路３２は、入力側がコネクタ５１ｕ及びヒューズ５２ｕを介してＵ相の供給端ｕと、コネクタ５１ｎ及びヒューズ５２ｎを介して中性線Ｎ−ｎとに接続され、出力側がＰＬＣ回路３１のＡＣ入力に接続されている。
【００４７】
また、電源入力回路３２のＵ相に対する接続端３ｕと中性線Ｎ−ｎに対する接続端３ｎとの間には、停電監視用の電磁開閉器Ｘ４が接続されている。電磁開閉器Ｘ４は、その通電により、後述の異常時リセット回路４３を構成する常閉の電磁開閉器接点部ｘ４を開成しておく構成になっている。
【００４８】
また、この電源入力回路３２のＵ相に対する接続端３ｕには、電磁開閉器ＸＬ，ＸＲ，Ｘ１，Ｘ２，Ｘ３，Ｘ０が接続されている。その中、電磁開閉器ＸＬ，ＸＲ，Ｘ１，Ｘ２，Ｘ３は、ＰＬＣ回路３１の対応する制御端にそれぞれ接続され、通電制御される構成になっている。これら電磁開閉器ＸＬ，ＸＲ，Ｘ１，Ｘ２，Ｘ３に対して、電磁開閉器Ｘ０は、電磁開閉器Ｘ１〜Ｘ３の常開の電磁開閉接点ｘ１〜ｘ３の並列回路を介して、中性線Ｎ−ｎに対する接続端３ｎに接続されている。
【００４９】
図示の例では、電磁開閉器ＸＬは、ＰＬＣ回路３１の障害発生時用の制御端に接続され、ＰＬＣ回路３１の障害発生監視用として作動する。そのために、電磁開閉器ＸＬは、ＰＬＣ回路３１に障害が発生した場合にはその通電が遮断され、後述する障害表示回路４４に直列接続された常閉の電磁開閉接点ｘＬが閉成される構成になっている。
【００５０】
また、電磁開閉器ＸＲは、ＰＬＣ回路３１のつなぎ回路部２６ｕ，２６ｖ，２６ｗの第１の制御端に接続され、後述する電磁開閉器Ｘ２，Ｘ３，Ｘ０の作動切り換わりによって、各相の作動電圧の供給端ｕ，ｖ，ｗから供給される供給電圧Ｖｏ(ｕ)，Ｖｏ(ｖ)，Ｖｏ(ｗ)の大きさＶｏが、０％分だけ降下させた電圧Ｖｏ(０％)、４％分だけ降下させた電圧Ｖｏ(４％)、又は６％分だけ降下させた電圧Ｖｏ(６％)の中のいずれか一つの値から別の値に切り換わる際に、各相供給端ｕ，ｖ，ｗから供給されている供給電圧Ｖｏ(ｕ)，Ｖｏ(ｖ)，Ｖｏ(ｗ)の瞬停防止用、及び切り換わりの際に巻線回路部２の制御巻線に生じるサージ吸収用として作動する。そのために、電磁開閉器ＸＲは、各相の作動電圧の供給端ｕ，ｖ，ｗから供給される供給電圧Ｖｏ(ｕ)，Ｖｏ(ｖ)，Ｖｏ(ｗ) の大きさＶｏを切り換える際に通電され、巻線回路部２に設けられたつなぎ回路部２６ｕ，２６ｖ，２６ｗの常開の電磁開閉接点ｘＲｕ，ｘＲｖ，ｘＲｗを閉成する構成になっている。
【００５１】
また、電磁開閉器Ｘ１は、ＰＬＣ回路３１のつなぎ回路部２６ｕ，２６ｖ，２６ｗの第２の制御端に接続され、電磁開閉器ＸＲと同様に、供給電圧Ｖｏ(ｕ)，Ｖｏ(ｖ)，Ｖｏ(ｗ)の大きさＶｏを切り換える際の瞬停防止用として作動する。そのために、電磁開閉器ＸＲは、各相の作動電圧の供給端ｕ，ｖ，ｗから供給される供給電圧Ｖｏ(ｕ)，Ｖｏ(ｖ)，Ｖｏ(ｗ) の大きさＶｏを切り換える際に通電され、電磁開閉器Ｘ０と直列に接続された常開の電磁開閉接点ｘ１〜ｘ３の並列回路の中の電磁開閉接点ｘ１を閉成する構成になっている。
【００５２】
また、電磁開閉器Ｘ２は、ＰＬＣ回路３１の各相供給端ｕ，ｖ，ｗからの供給される供給電圧Ｖｏ(ｕ)，Ｖｏ(ｖ)，Ｖｏ(ｗ)の大きさＶｏを、電源から入力される各相電圧Ｖｉ(ｕ)，Ｖｉ(ｖ)，Ｖｉ(ｗ)の大きさＶｉに対して、４％分だけ降下させた電圧Ｖｏ(４％)にするための制御端に接続され、供給電圧Ｖｏ(ｕ)，Ｖｏ(ｖ)，Ｖｏ(ｗ)の４％節電用の電磁開閉器として作動する。そのために、電磁開閉器Ｘ２は、各相供給端ｕ，ｖ，ｗから電圧Ｖｏ(４％)を出力する４％節電時に通電され、電磁開閉器Ｘ０と直列に接続された常開の電磁開閉接点ｘ１〜ｘ３の並列回路の中の電磁開閉接点ｘ２を閉成するとともに、巻線回路部２における第２の接続部２５ｕ，２５ｖ，２５ｗの常開の電磁開閉接点ｘ２ｕ，ｘ２ｖ，ｘ２ｗを閉成する構成になっている。
【００５３】
また、電磁開閉器Ｘ３は、ＰＬＣ回路３１の各相供給端ｕ，ｖ，ｗからの供給される供給電圧Ｖｏ(ｕ)，Ｖｏ(ｖ)，Ｖｏ(ｗ)の大きさＶｏを、電源から入力される各相電圧Ｖｉ(ｕ)，Ｖｉ(ｖ)，Ｖｉ(ｗ)の大きさＶｉに対して、６％分だけ降下させた電圧Ｖｏ(６％)にするための制御端に接続され、各相電圧Ｖｉ(ｕ)，Ｖｉ(ｖ)，Ｖｉ(ｗ)の６％節電用の電磁開閉器として作動する。そのために、電磁開閉器Ｘ３は、各相供給端ｕ，ｖ，ｗから電圧Ｖｏ(６％)を出力する６％節電時に通電され、電磁開閉器Ｘ０と直列に接続された常開の電磁開閉接点ｘ１〜ｘ３の並列回路の中の電磁開閉接点ｘ３を閉成するとともに、巻線回路部２における第１の接続部２３ｕ，２３ｖ，２３ｗの常開の電磁開閉接点ｘ３ｕ，ｘ３ｖ，ｘ３ｗを閉成する構成になっている。
【００５４】
電磁開閉器Ｘ０は、前述の節電用の電磁開閉器Ｘ２，Ｘ３、及び瞬停防止用の電磁開閉器Ｘ１が作動されない場合に、電源から入力される各相電圧Ｖｉ(ｕ)，Ｖｉ(ｖ)，Ｖｉ(ｗ)の大きさＶｉを、各相の作動電圧の供給端ｕ，ｖ，ｗからそのまま供給電圧Ｖｏ(ｕ)，Ｖｏ(ｖ)，Ｖｏ(ｗ)の大きさＶｏとして供給する場合の、各相電圧Ｖｉ(ｕ)，Ｖｉ(ｖ)，Ｖｉ(ｗ)の０％節電用の電磁開閉器として作動する。そのために、電磁開閉器Ｘ０は、直列に接続された常開の電磁開閉接点ｘ１〜ｘ３の並列回路の中のいずれもが閉成していない場合に通電が遮断され、前述した巻線回路部２におけるバイパス部２４ｕ，２４ｖ，２４ｗの常閉の電磁開閉接点ｘ０ｕ，ｘ０ｖ，ｘ０ｗを閉成する構成になっている。さらに、図示の回路では、電磁開閉器Ｘ０は、直列に接続された常開の電磁開閉接点ｘ１〜ｘ３の並列回路の中のいずれかが閉成している場合には通電されて、後述の節電状態報知回路３８に設けられた常開の電磁開閉接点ｘ０を閉成する構成にもなっている。
【００５５】
これら電磁開閉器ＸＲ，Ｘ１，Ｘ２，Ｘ３，Ｘ０の作動制御をＰＬＣ回路３１により自動的に行わせるために、電源入力回路３２のＵ相に対する接続端３ｕには、電圧検出回路３３が接続されている。電圧検出回路３３には、接続端３ｕを介して供給端ｕからの供給電圧Ｖｏ(ｕ)が入力され、電圧検出回路３３からは、交流電圧からなる供給端ｕからの相電圧Ｖｏ(ｕ)の実効値の大きさＶｏに応じた信号が、検出信号として比較回路３４ｈ，３４ｌに供給される。比較回路３４ｈ，３４ｌは、電圧検出回路３３から供給される検出信号の大きさとしきい値設定回路３５から供給される上限しきい値Ｖｏth、下限しきい値Ｖｏtlとのそれぞれ比較を行い、本実施の形態の場合は、検出信号の大きさが上限しきい値Ｖｏthを超えている場合、検出信号の大きさが下限しきい値Ｖｏtlを超えている場合には、上限しきい値超過検出信号Ｓｈ、下限しきい値超過検出信号Ｓｌを、ＰＬＣ回路３１の自動切換制御入力端にそれぞれ供給する。
【００５６】
さらに、図示の例では、しきい値設定回路３５は、供給電圧下限値設定手段及びしきい値生成手段を備えて構成されている。供給電圧下限値設定手段は、各相における作動電圧の供給端ｕ，ｖ，ｗから供給しようとする供給電圧Ｖｏ(ｕ)，Ｖｏ(ｖ)，Ｖｏ(ｗ)の大きさＶｏの下限値Ｖｏminを、ロータリスイッチ等によってマニュアル設定できる構成になっている。しきい値生成手段は、この供給電圧下限値設定手段によって設定された供給電圧Ｖｏ(ｕ)，Ｖｏ(ｖ)，Ｖｏ(ｗ)の大きさＶｏの下限値Ｖｏminに基づいて、各相の作動電圧の供給端ｕ，ｖ，ｗから供給される供給電圧Ｖｏ(ｕ)，Ｖｏ(ｖ)，Ｖｏ(ｗ)の大きさＶｏを、電源から入力される各相電圧Ｖｉ(ｕ)，Ｖｉ(ｖ)，Ｖｉ(ｗ)の大きさＶｉに対し、０％分だけ降下させた電圧Ｖｏ(０％)にするか、４％分だけ降下させた電圧Ｖｏ(４％)にするか、又は６％分だけ降下させた電圧Ｖｏ(６％)にするかを切り換えるための上限しきい値Ｖｏth及び下限しきい値Ｖｏtlを生成する構成になっている。
【００５７】
例えば、ユーザが、供給電圧下限値設定手段によって、供給電圧Ｖｏ(ｕ)，Ｖｏ(ｖ)，Ｖｏ(ｗ)の大きさＶｏの下限値Ｖｏminを設定した場合、しきい値設定回路３５は、この下限値Ｖｏminに対して所定電圧値ｋ１（ただし、ｋ１≧０）だけ大きい電圧値（Ｖｏmin＋ｋ１）を下限しきい値Ｖｏtlとして生成し、この下限しきい値Ｖｏtlよりも所定電圧値ｋ２（ただし、ｋ２＞０）だけ大きい電圧値（Ｖｏmin＋ｋ１＋ｋ２）を上限しきい値Ｖｏthとして生成する。
【００５８】
本実施の形態の制御回路部３では、これら電圧検出回路３３，比較回路３４ｈ，３４ｌ，及びしきい値設定回路３５によって、各相の作動電圧の供給端ｕ，ｖ，ｗから供給される供給電圧Ｖｏ(ｕ)，Ｖｏ(ｖ)，Ｖｏ(ｗ)の大きさＶｏに応じて、電源から入力される各相電圧Ｖｉ(ｕ)，Ｖｉ(ｖ)，Ｖｉ(ｗ)の大きさＶｉを降下させて各相の作動電圧の供給端ｕ，ｖ，ｗから供給することが可能であるか否か、を判定するための降下電圧切換自動判定回路３６が構成されている。
【００５９】
また、別途生成された直流回路電圧Ｖcc（例えば、Ｖcc＝２４［Ｖ］）には、例えばＬＥＤ等によって構成される節電状態報知用の表示灯（発光ダイオード）３７が接続され、この表示灯３７は、電磁開閉器Ｘ０の常開の電磁開閉器接点ｘ０を介して、ＰＬＣ回路３１の０Ｖ端に接続されている。この表示灯３７及び電磁開閉器接点ｘ０により、節電状態報知回路３８が構成され、電磁開閉器Ｘ０が通電される供給電圧Ｖｏ(ｕ)，Ｖｏ(ｖ)，Ｖｏ(ｗ)の大きさＶｏが電圧Ｖｏ(４％)又は電圧Ｖｏ(６％)である電力節約時には、表示灯３７が点灯する構成になっている。
【００６０】
また、ＰＬＣ回路３１の０Ｖ端には、各相の作動電圧の供給端ｕ，ｖ，ｗから供給される供給電圧Ｖｏ(ｕ)，Ｖｏ(ｖ)，Ｖｏ(ｗ)の大きさＶｏを、電源から入力される各相電圧Ｖｉ(ｕ)，Ｖｉ(ｖ)，Ｖｉ(ｗ)の大きさＶｉに対し、０％分だけ降下させた電圧Ｖｏ(０％)にするか、４％分だけ降下させた電圧Ｖｏ(４％)にするか、又は６％分だけ降下させた電圧Ｖｏ(６％)にするかを、ＰＬＣ回路３１により自動制御させるか否かを設定するための自動／手動切換スイッチ３９と、及びＰＬＣ回路３１により自動制御させずに手動で供給電圧Ｖｏ(ｕ)，Ｖｏ(ｖ)，Ｖｏ(ｗ)の大きさＶｏを、電圧Ｖｏ(０％)，Ｖｏ(４％)，Ｖｏ(６％)の中のいずれかに固定設定する手動選択設定スイッチ４０とが、直列に接続されている。図示の例では、手動選択設定スイッチ４０の電圧Ｖｏ(０％)，Ｖｏ(４％)，Ｖｏ(６％)に対応する接点それぞれが、ＰＬＣ回路３１の電圧Ｖｏ(０％)，Ｖｏ(４％)，Ｖｏ(６％)それぞれに対応した指示入力端に接続されている。この手動選択設定スイッチ４０及び手動選択設定スイッチ４０により、手動設定回路４１が構成されている。
【００６１】
また、ＰＬＣ回路３１の０Ｖ端には、前述したブレーカ２７，５２とは異なり、ブレーカ５２の作動に連動して異常時に閉成するブレーカ４２と、前述した停電監視用の電磁開閉器Ｘ４の常閉の電磁開閉接点ｘ４とが、それぞれ接続されている。そして、ブレーカ４２及び電磁開閉接点ｘ４の並列回路の他方端は、ＰＬＣ回路３１のリセット信号入力に接続されている。ブレーカ４２及び電磁開閉接点ｘ４は、いずれも異常発生時（例えば、停電時やブレーカ５２による電源遮断時）に閉成され、その回復時に開成されることによって、ＰＬＣ回路３１のリセット入力にリセット信号が供給され、本実施の形態の電力調整装置１のシステム動作を初期状態に戻すようになっている。このブレーカ４２及び電磁開閉接点ｘ４により、異常時リセット回路４３が構成されている。
【００６２】
また、Ｕ相の供給端ｕには、コネクタ５３ｕを介して、ＰＬＣ回路３１の障害表示回路４４が接続されている。障害表示回路４４は、例えばＰＬＣ回路３１の正常動作状態を点灯報知する表示灯を備え、コネクタ５３ｎ及び電磁開閉器ＸＬの常閉の電磁開閉接点ｘＬを介して、中性線Ｎ−ｎに接続されている。これにより、ＰＬＣ回路３１に異常（停電，ブレーカ５２による電源遮断，及び制御エラー等）が発生した場合は、電磁開閉器ＸＬの通電は遮断され、常閉の電磁開閉接点ｘＬが閉成し、障害表示回路４４の表示灯が点灯する構成になっている。
【００６３】
次に、ＰＬＣ回路３１による各相の作動電圧の供給端ｕ，ｖ，ｗから供給する供給電圧Ｖｏ(ｕ)，Ｖｏ(ｖ)，Ｖｏ(ｗ)の大きさのＶｏの制御について説明する。
【００６４】
図３は、各相供給端から電圧Ｖｏ(０％)を出力している場合の、電力調整装置における巻線回路部と制御回路部との状態図を示す。
【００６５】
この状態では、図３に示すように、制御回路部３では、ＰＬＣ回路３１により、電磁開閉器ＸＲ，Ｘ１，Ｘ２，Ｘ３はいずれも通電遮断状態に制御される。そのため、電磁開閉器Ｘ１，Ｘ２，Ｘ３の常開の電磁開閉器接点ｘ１，ｘ２，ｘ３は、開成状態になっている。また、この常開の電磁開閉器接点ｘ１，ｘ２，ｘ３それぞれに対して直列接続されている電磁開閉器Ｘ０も通電遮断状態に制御されることになる。
【００６６】
これにより、巻線回路部２における制御巻線部２０ｕ，２０ｖ，２０ｗの常開の電磁開閉器接点ｘＲｕ，ｘＲｖ，ｘＲｗ，ｘ２ｕ，ｘ２ｖ，ｘ２ｗ，ｘ３ｕ，ｘ３ｖ，ｘ３ｗは、そのいずれもが開成している非作動状態のままになる。そのため、巻線回路部２における各相の制御巻線部２０ｕ，２０ｖ，２０ｗに制御巻線としって備えられている第１の制御巻線２１ｕ，２１ｖ，２１ｗと第２の制御巻線２２ｕ，２２ｖ，２２ｗとには、電源から入力される各相電圧Ｖｉ(ｕ)，Ｖｉ(ｖ)，Ｖｉ(ｗ)に基づいて電流が流れない。
【００６７】
したがって、各相の主巻線１０ｕ，１０ｖ，１０ｗと制御巻線部２０ｕ，２０ｖ，２０ｗとは、協働して変圧器として作動することができない。この結果、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、０％分だけ降下させた電圧Ｖｏ(０％)、すなわち各相電圧Ｖｉ(ｕ)，Ｖｉ(ｖ)，Ｖｉ(ｗ)の大きさＶｉがそのまま、供給電圧Ｖｏ(ｕ)，Ｖｏ(ｖ)，Ｖｏ(ｗ)の大きさＶｏとして供給されることになる。
【００６８】
この場合、また、巻線回路部２の制御巻線部２０ｕ，２０ｖ，２０ｗにおいては、電磁開閉器Ｘ０が通電遮断状態に制御されていることから、バイパス部２４ｕ，２４ｖ，２４ｗの常閉の電磁開閉器接点部ｘ０ｕ，ｘ０ｖ，ｘ０ｗは閉成されたままになっている。この結果、各相におけるタップ１ｕ，１ｖ，１ｗは、各相同士で短絡された状態になっている。
【００６９】
図４は、各相供給端から電圧Ｖｏ(４％)を出力している場合の、電力調整装置における巻線回路部と制御回路部との状態図を示す。
【００７０】
この状態では、図４に示すように、制御回路部３では、ＰＬＣ回路３１により、電磁開閉器ＸＲ，Ｘ１，Ｘ３はいずれも通電遮断状態に制御されるのに対し、電磁開閉器Ｘ２は通電状態に制御される。そのため、電磁開閉器Ｘ１，Ｘ２，Ｘ３の常開の電磁開閉器接点ｘ１，ｘ２，ｘ３は、電磁開閉器接点ｘ２だけが閉成状態になる。そのため、この常開の電磁開閉器接点ｘ１，ｘ２，ｘ３それぞれに対して直列接続されている電磁開閉器Ｘ０は、通電状態に制御されることになる。
【００７１】
これにより、巻線回路部２における制御巻線部２０ｕ，２０ｖ，２０ｗの常開の電磁開閉器接点ｘＲｕ，ｘＲｖ，ｘＲｗ，ｘ２ｕ，ｘ２ｖ，ｘ２ｗ，ｘ３ｕ，ｘ３ｖ，ｘ３ｗは、電磁開閉器接点ｘ２ｕ，ｘ２ｖ，ｘ２ｗだけが閉成し、残りの電磁開閉器接点ｘＲｕ，ｘＲｖ，ｘＲｗ，ｘ３ｕ，ｘ３ｖ，ｘ３ｗは、開成している非作動状態のままになる。また、制御巻線部２０ｕ，２０ｖ，２０ｗのバイパス部２４ｕ，２４ｖ，２４ｗの常閉の電磁開閉器接点部ｘ０ｕ，ｘ０ｖ，ｘ０ｗは、開成することになる。そのため、巻線回路部２における各相の制御巻線部２０ｕ，２０ｖ，２０ｗに制御巻線として備えられている第１の制御巻線２１ｕ，２１ｖ，２１ｗと第２の制御巻線２２ｕ，２２ｖ，２２ｗとは、中性点ｎに対して、第１の制御巻線２１ｕ，２１ｖ，２１ｗと第２の制御巻線２２ｕ，２２ｖ，２２ｗとが直列接続されてＹ接続された状態になる。この状態で、直列接続された第１の制御巻線２１ｕ，２１ｖ，２１ｗ及び第２の制御巻線２２ｕ，２２ｖ，２２ｗには、電磁開閉器接点ｘ２ｕ，ｘ２ｖ，ｘ２ｗを介して、電源から入力される各相電圧Ｖｉ(ｕ)，Ｖｉ(ｖ)，Ｖｉ(ｗ)に基づいて制御電流が流れることになる。
【００７２】
したがって、各相の主巻線１０ｕ，１０ｖ，１０ｗと制御巻線部２０ｕ，２０ｖ，２０ｗにおける直列接続されている第１の制御巻線２１ｕ，２１ｖ，２１ｗ及び第２の制御巻線２２ｕ，２２ｖ，２２ｗとは、協働して変圧器として作動することになる。この際、本実施の形態では、主巻線１０を“６”とすると、第１の制御巻線２１は“９８”、第２の制御巻線２２は“４８”の比関係になっていることから、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、４％分だけ降下させた電圧Ｖｏ(４％)が、供給電圧Ｖｏ(ｕ)，Ｖｏ(ｖ)，Ｖｏ(ｗ)の大きさＶｏとして供給されることになる。
【００７３】
図５は、各相供給端から電圧Ｖｏ(６％)を出力している場合の、電力調整装置における巻線回路部と制御回路部との状態図を示す。
【００７４】
この状態では、図５に示すように、制御回路部３では、ＰＬＣ回路３１により、電磁開閉器ＸＲ，Ｘ１，Ｘ２はいずれも通電遮断状態に制御されるのに対し、電磁開閉器Ｘ３は通電状態に制御される。そのため、電磁開閉器Ｘ１，Ｘ２，Ｘ３の常開の電磁開閉器接点ｘ１，ｘ２，ｘ３は、電磁開閉器接点ｘ３だけが閉成状態になる。そのため、この常開の電磁開閉器接点ｘ１，ｘ２，ｘ３それぞれに対して直列接続されている電磁開閉器Ｘ０は、通電状態に制御されることになる。
【００７５】
これにより、巻線回路部２における制御巻線部２０ｕ，２０ｖ，２０ｗの常開の電磁開閉器接点ｘＲｕ，ｘＲｖ，ｘＲｗ，ｘ２ｕ，ｘ２ｖ，ｘ２ｗ，ｘ３ｕ，ｘ３ｖ，ｘ３ｗは、電磁開閉器接点ｘ３ｕ，ｘ３ｖ，ｘ３ｗだけが閉成し、残りの電磁開閉器接点ｘＲｕ，ｘＲｖ，ｘＲｗ，ｘ２ｕ，ｘ２ｖ，ｘ２ｗは、開成している非作動状態のままになる。また、制御巻線部２０ｕ，２０ｖ，２０ｗのバイパス部２４ｕ，２４ｖ，２４ｗの常閉の電磁開閉器接点部ｘ０ｕ，ｘ０ｖ，ｘ０ｗは、開成することになる。そのため、巻線回路部２における各相の制御巻線部２０ｕ，２０ｖ，２０ｗに制御巻線として備えられている第１の制御巻線２１ｕ，２１ｖ，２１ｗと第２の制御巻線２２ｕ，２２ｖ，２２ｗとは、第２の制御巻線２２ｕ，２２ｖ，２２ｗは閉成した電磁開閉器接点ｘ３ｕ，ｘ３ｖ，ｘ３ｗによってバイパスされて、中性点ｎに対して、第１の制御巻線２１ｕ，２１ｖ，２１ｗだけが直列接続されてＹ接続された状態になる。この状態で、第１の制御巻線２１ｕ，２１ｖ，２１ｗには、電磁開閉器接点ｘ３ｕ，ｘ３ｖ，ｘ３ｗを介して、電源から入力される各相電圧Ｖｉ(ｕ)，Ｖｉ(ｖ)，Ｖｉ(ｗ)に基づいて制御電流が流れることになる。
【００７６】
したがって、各相の主巻線１０ｕ，１０ｖ，１０ｗと制御巻線部２０ｕ，２０ｖ，２０ｗにおける直列接続されている第１の制御巻線２１ｕ，２１ｖ，２１ｗとは、協働して変圧器として作動することになる。この際、本実施の形態では、主巻線１０を“６”とすると、第１の制御巻線２１は“９８”、第２の制御巻線２２は“４８”の比関係になっていることから、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、６％分だけ降下させた電圧Ｖｏ(６％)が、供給電圧Ｖｏ(ｕ)，Ｖｏ(ｖ)，Ｖｏ(ｗ)の大きさＶｏとして供給されることになる。
【００７７】
図６は、図３乃至図５に示した回路状態のいずれか一つ状態から別の状態に切り換える際の瞬停防止のためのつなぎ状態についての、電力調整装置における巻線回路部と制御回路部との状態図である。
【００７８】
この状態では、図６に示すように、制御回路部３では、ＰＬＣ回路３１により、電磁開閉器Ｘ２，Ｘ３の制御状態を変化させる場合に、その状態変化に先立って電磁開閉器ＸＲ，Ｘ１は通電状態に制御される。そのため、電磁開閉器Ｘ１，Ｘ２，Ｘ３の常開の電磁開閉器接点ｘ１，ｘ２，ｘ３は、電磁開閉器接点ｘ１，ｘ２の状態にかかわらず、電磁開閉器接点ｘ３は閉成状態になる。そのため、この常開の電磁開閉器接点ｘ１，ｘ２，ｘ３それぞれに対して直列接続されている電磁開閉器Ｘ０は、通電状態に制御されることになる。
【００７９】
これにより、巻線回路部２における制御巻線部２０ｕ，２０ｖ，２０ｗの常開の電磁開閉器接点ｘＲｕ，ｘＲｖ，ｘＲｗ，ｘ２ｕ，ｘ２ｖ，ｘ２ｗ，ｘ３ｕ，ｘ３ｖ，ｘ３ｗは、電磁開閉器接点ｘ２ｕ，ｘ２ｖ，ｘ２ｗ，ｘ３ｕ，ｘ３ｖ，ｘ３ｗの状態にかかわらず、電磁開閉器接点ｘＲｕ，ｘＲｖ，ｘＲｗが閉成する。また、制御巻線部２０ｕ，２０ｖ，２０ｗのバイパス部２４ｕ，２４ｖ，２４ｗの常閉の電磁開閉器接点部ｘ０ｕ，ｘ０ｖ，ｘ０ｗは、開成することになる。そのため、巻線回路部２における各相の制御巻線部２０ｕ，２０ｖ，２０ｗに制御巻線として備えられている第１の制御巻線２１ｕ，２１ｖ，２１ｗと第２の制御巻線２２ｕ，２２ｖ，２２ｗとは、中性点ｎに対してＹ接続されている第１の制御巻線２１ｕ，２１ｖ，２１ｗが、第２の制御巻線２２ｕ，２２ｖ，２２ｗ及びつなぎ回路部２６ｕ，２６ｖ，２６ｗの抵抗Ｒｕ，Ｒｖ，Ｒｗを介して各相の作動電圧の供給端ｕ，ｖ，ｗに接続することになる。
【００８０】
したがって、電磁開閉器Ｘ２，Ｘ３のいずれかが通電されて巻線回路部２における制御巻線部２０ｕ，２０ｖ，２０ｗの常開の電磁開閉器接点ｘ２ｕ，ｘ２ｖ，ｘ２ｗ又は磁開閉器接点ｘ３ｕ，ｘ３ｖ，ｘ３ｗが閉成している状態では、このバイパス部２４ｕ，２４ｖ，２４ｗの常閉の電磁開閉器接点部ｘ０ｕ，ｘ０ｖ，ｘ０ｗが閉成しても、その抵抗Ｒｕ，Ｒｖ，Ｒｗにより、このバイパス部２４ｕ，２４ｖ，２４ｗを介して制御電流が第１の制御巻線２１ｕ，２１ｖ，２１ｗ及び第２の制御巻線２２ｕ，２２ｖ，２２ｗに流れることは、電磁開閉器接点ｘ２ｕ，ｘ２ｖ，ｘ２ｗを介して制御電流が第１の制御巻線２１ｕ，２１ｖ，２１ｗ及び第２の制御巻線２２ｕ，２２ｖ，２２ｗに流れること、又は電磁開閉器接点ｘ３ｕ，ｘ３ｖ，ｘ３ｗを介して制御電流が第１の制御巻線２１ｕ，２１ｖ，２１ｗに流れることに対して制限されることになる。その反面、電磁開閉器Ｘ２，Ｘ３の制御状態を変化させて、各相の供給端ｕ，ｖ，ｗからの供給電圧Ｖｏ(ｕ)，Ｖｏ(ｖ)，Ｖｏ(ｗ)の大きさＶｏを、電圧Ｖｏ(０％)、電圧Ｖｏ(４％)、又は電圧Ｖｏ(６％)の中のいずれか一つの値から別の値に切り換える際に、電磁開閉器Ｘ２，Ｘ３のいずれもが通電遮断された瞬停状態が生じても、直列接続された第１の制御巻線２１ｕ，２１ｖ，２１ｗ及び第２の制御巻線２２ｕ，２２ｖ，２２ｗには、このバイパス部２４ｕ，２４ｖ，２４ｗを介して、電源から入力される各相電圧Ｖｉ(ｕ)，Ｖｉ(ｖ)，Ｖｉ(ｗ)に基づいて制御電流が流れ続けることになる。
【００８１】
したがって、各相の供給端ｕ，ｖ，ｗからの供給電圧Ｖｏ(ｕ)，Ｖｏ(ｖ)，Ｖｏ(ｗ)の大きさＶｏを、電圧Ｖｏ(０％)、電圧Ｖｏ(４％)、又は電圧Ｖｏ(６％)の中のいずれか一つの値から別の値に切り換える際に、電磁開閉器Ｘ２，Ｘ３のいずれもが通電遮断された瞬停状態が生じても、各相の主巻線１０ｕ，１０ｖ，１０ｗと制御巻線部２０ｕ，２０ｖ，２０ｗにおける直列接続されている第１の制御巻線２１ｕ，２１ｖ，２１ｗ及び第２の制御巻線２２ｕ，２２ｖ，２２ｗとは、協働して変圧器として作動し続けていることになる。
【００８２】
次に、各相の供給端ｕ，ｖ，ｗからの供給電圧Ｖｏ(ｕ)，Ｖｏ(ｖ)，Ｖｏ(ｗ)の大きさＶｏを、各相電圧Ｖｉ(ｕ)，Ｖｉ(ｖ)，Ｖｉ(ｗ)の大きさＶｉに応じて、電圧Ｖｏ(０％)，Ｖｏ(４％)，Ｖｏ(６％)の中のいずれに設定するかについてのＰＬＣ回路３１による自動制御構成を説明する。
【００８３】
図７は、ＰＬＣ回路による供給電圧の制御構成を示したフローチャートである。
図８は、図７に示したＰＬＣ回路による制御構成に基づく、図３乃至図６に示した電磁開閉器の作動状態の遷移例を示したタイムチャートである。
【００８４】
本実施の形態の電力調整装置１に対する電源投入がなされると（図７、ステップＳ01）、ＰＬＣ回路３１は、巻線回路部２の制御電流が過大でブレーカ（ＭＣＣＢ）２７ｕ，２７ｖ，２７ｗが作動していないか否か（ステップＳ02）、ＰＬＣ回路３１は正常に動作しているか否か（ステップＳ03）、異常時リセット回路４３のブレーカ４２の遮断又は常閉の電磁開閉接点ｘ４の開成によるインターロックが生じていないか否か（ステップＳ04）を判別する。
【００８５】
ＰＬＣ回路３１は、これら判断によって、制御電流が過大でブレーカ２７ｕ，２７ｖ，２７ｗが作動している場合、ＰＬＣ回路３１が正常に動作していない場合、異常時リセット回路４３によるインターロックが生じている場合による障害異常が発生しているときには、電磁開閉器ＸＲ，Ｘ１，Ｘ２，Ｘ３はいずれも通電遮断状態になる。これにより、巻線回路部２は、図３に示した状態となり、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、０％分だけ降下させた電圧Ｖｏ(０％)、すなわち各相電圧Ｖｉ(ｕ)，Ｖｉ(ｖ)，Ｖｉ(ｗ)の大きさＶｉがそのまま、供給電圧Ｖｏ(ｕ)，Ｖｏ(ｖ)，Ｖｏ(ｗ)の大きさＶｏとして供給されることになる。また、巻線回路部２は、電磁開閉器Ｘ０が通電遮断状態に制御されていることから、制御巻線部２０ｕ，２０ｖ，２０ｗにおけるバイパス部２４ｕ，２４ｖ，２４ｗの常閉の電磁開閉器接点部ｘ０ｕ，ｘ０ｖ，ｘ０ｗは閉成されたままになっている。この結果、各相におけるタップ１ｕ，１ｖ，１ｗは、各相同士で短絡された状態になっている（ステップＳ05）。また、このような障害異常が発生している場合は、電磁開閉器Ｘ０は、電源が投入されても、電磁開閉器ＸＬを通電状態にすることもできない。そのため、障害表示回路４４に直列接続された電磁開閉器接点部ｘＬは開成状態にならず、障害表示回路４４の表示灯が点灯し、障害の発生を報知する（ステップＳ06）。
【００８６】
なお、電力調整装置１に対する電源投入がなされた後（ステップＳ01）、制御電流が過大でブレーカ２７ｕ，２７ｖ，２７ｗが作動せず（ステップＳ02）、ＰＬＣ回路３１が正常に動作し（ステップＳ03）、異常時リセット回路４３によるインターロックが生じていない（ステップＳ04）、電力調整装置１に障害異常が発生していない場合であっても、当初は、ＰＬＣ回路３１は、電磁開閉器ＸＲ，Ｘ１，Ｘ２，Ｘ３はいずれも通電遮断状態にし、巻線回路部２は、図３に示した０％降下状態（非節電状態）になり、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、０％分だけ降下させた電圧Ｖｏ(０％)が供給される。また、巻線回路部２の制御巻線部２０ｕ，２０ｖ，２０ｗにおけるバイパス部２４ｕ，２４ｖ，２４ｗの常閉の電磁開閉器接点部ｘ０ｕ，ｘ０ｖ，ｘ０ｗも閉成されたままで、各相におけるタップ１ｕ，１ｖ，１ｗは、各相同士で短絡された状態になっている（ステップＳ07）。
【００８７】
そして、ＰＬＣ回路３１は、上限しきい値超過検出信号Ｓｈ、又は下限しきい値超過検出信号Ｓｌが、電圧検出回路３３，比較回路３４ｈ，３４ｌ，及びしきい値設定回路３５によって構成される降下電圧切換自動判定回路３６から供給されているか否かを判定する（ステップＳ08）。
【００８８】
ここで、上述したように、電源を投入した当初は、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、０％分だけ降下させた電圧Ｖｏ(０％)が供給されることから、各相の供給端ｕ，ｖ，ｗからの供給電圧Ｖｏ(ｕ)，Ｖｏ(ｖ)，Ｖｏ(ｗ)の大きさＶｏは、図８の区間Ｐ１に示すように、電源から入力される各相電圧Ｖｉ(ｕ)，Ｖｉ(ｖ)，Ｖｉ(ｗ)の大きさＶｉ（例えば、２０８[Ｖ]）と同じ値になっているものとする。また、この状態において、降下電圧切換自動判定回路３６のしきい値設定回路３５から比較回路３４ｈ，３４ｌへ、上限しきい値Ｖｏth及び下限しきい値Ｖｏtlとして、例えば、電圧値２００[Ｖ]及び１９４[Ｖ]に対応する値が供給されているものと仮定する。
【００８９】
図８の区間Ｐ１に示すような場合は、ＰＬＣ回路３１には、上限しきい値超過検出信号Ｓｈ及び下限しきい値超過検出信号Ｓｌの両信号が供給されている状態になっている。
【００９０】
そこで、ＰＬＣ回路３１は、上限しきい値超過検出信号Ｓｈ及び下限しきい値超過検出信号Ｓｌの両信号が供給されている状態では（図８の区間Ｐ１）、両信号Ｓｈ，Ｓｌが予め判断時間として設定されている所定時間ｔ１（例えば、６０秒）以上、連続して供給されているか否かを判定する（図７のステップＳ09）。なお、この判断時間ｔ１は、電源から入力される各相電圧Ｖｉ(ｕ)，Ｖｉ(ｖ)，Ｖｉ(ｗ)の大きさＶｉの瞬時変動等を考慮して適宜設定される。
【００９１】
そして、ＰＬＣ回路３１は、両信号Ｓｈ，Ｓｌが所定時間ｔ１以上連続して供給されている場合には、電磁開閉器ＸＲ，Ｘ１，電磁開閉器Ｘ２の順序で通電させ、巻線回路部２を、図３に示した０％降下状態から、図６に示したつなぎ状態を介在させながら、図４に示した４％降下状態（４％節電状態）に切り換える（図７のステップＳ10）。
【００９２】
なお、電磁開閉器ＸＲ，Ｘ１の中、少なくとも電磁開閉器ＸＲは、電磁開閉器Ｘ２が通電され、巻線回路部２の電磁開閉器接点ｘ２ｕ，ｘ２ｖ，ｘ２ｗが閉成された後、通電遮断されて、その巻線回路部２の電磁開閉器接点ｘＲｕ，ｘＲｖ，ｘＲｗが開成する。これにより、巻線回路部２の電磁開閉器接点ｘ２ｕ，ｘ２ｖ，ｘ２ｗが閉成されたときのサージを、その抵抗Ｒｕ，Ｒｖ，Ｒｗで吸収できるようにもなっている。
【００９３】
これにより、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、４％分だけ降下させた電圧Ｖｏ(４％)が、供給電圧Ｖｏ(ｕ)，Ｖｏ(ｖ)，Ｖｏ(ｗ)の大きさＶｏとして供給されることになる（図７のステップＳ11）。
【００９４】
上述のようにして、図４に示した４％降下状態に切り換えても、図８の区間Ｐ２に示すように、ＰＬＣ回路３１に、上限しきい値超過検出信号Ｓｈ及び下限しきい値超過検出信号Ｓｌの両信号が依然として供給されている状態では、前述のステップＳ08，Ｓ09の場合と同様に、両信号Ｓｈ，Ｓｌが予め判断時間として設定されている所定時間ｔ１以上、連続して供給されているか否かを判定する（ステップＳ12，Ｓ13）。
【００９５】
そして、ＰＬＣ回路３１は、両信号Ｓｈ，Ｓｌが所定時間ｔ１以上連続して供給されている場合には、まず電磁開閉器ＸＲ，Ｘ１を通電し、電磁開閉器Ｘ２を通電遮断した上、電磁開閉器Ｘ３を通電し、巻線回路部２を、図４に示した４％降下状態から、図６に示したつなぎ状態を介在させながら、図５に示した６％降下状態（６％節電状態）に切り換える（図７のステップＳ14）。なお、この場合も、電磁開閉器ＸＲは、電磁開閉器Ｘ３が通電され、巻線回路部２の電磁開閉器接点ｘ３ｕ，ｘ３ｖ，ｘ３ｗが閉成された後、通電遮断され、巻線回路部２の電磁開閉器接点ｘ３ｕ，ｘ３ｖ，ｘ３ｗが閉成されたときのサージを、その抵抗Ｒｕ，Ｒｖ，Ｒｗで吸収できるようになっている。
【００９６】
これにより、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、６％分だけ降下させた電圧Ｖｏ(６％)が、供給電圧Ｖｏ(ｕ)，Ｖｏ(ｖ)，Ｖｏ(ｗ)の大きさＶｏとして供給されることになる（図７のステップＳ15）。
【００９７】
一方、図８の区間Ｐ３又は区間Ｐ４に示すように、各相における作動電圧の供給端ｕ，ｖ，ｗから電圧Ｖｏ(４％)又は電圧Ｖｏ(６％)が供給されている状態において、電源から入力されている各相電圧Ｖｉ(ｕ)，Ｖｉ(ｖ)，Ｖｉ(ｗ)の大きさＶｉが変動し、各相の供給端ｕ，ｖ，ｗからの供給電圧Ｖｏ(ｕ)，Ｖｏ(ｖ)，Ｖｏ(ｗ)の大きさＶｏが下限しきい値Ｖｏtlよりも低下してしまった場合には、ＰＬＣ回路３１は、次のようにして電磁開閉器ＸＲ，Ｘ１，Ｘ２，Ｘ３を制御する。
【００９８】
ＰＬＣ回路３１は、上限しきい値超過検出信号Ｓｈ、及び下限しきい値超過検出信号Ｓｌのいずれもが、電圧検出回路３３，比較回路３４ｈ，３４ｌ，及びしきい値設定回路３５によって構成される降下電圧切換自動判定回路３６から供給されなくなってしまったか否かを判定する（ステップＳ16，Ｓ19）。
【００９９】
そして、ＰＬＣ回路３１は、上限しきい値超過検出信号Ｓｈ及び下限しきい値超過検出信号Ｓｌの両信号が供給されている状態では（図８の区間Ｐ３又は区間Ｐ３）、両信号Ｓｈ，Ｓｌが予め判断時間として設定されている所定時間ｔ２（例えば、５秒）以上、連続して供給されていないか否かを判定する（図７のステップＳ17，Ｓ20）。なお、この判断時間ｔ２は、判断時間ｔ１と同様に、電源から入力される各相電圧Ｖｉ(ｕ)，Ｖｉ(ｖ)，Ｖｉ(ｗ)の大きさＶｉの瞬時変動等を考慮して適宜設定される。しかし、この判断時間ｔ２は、前述のステップＳ09，Ｓ13の場合と異なり、このままでは、作動電圧の供給端ｕ，ｖ，ｗから供給されている供給電圧Ｖｏ(ｕ)，Ｖｏ(ｖ)，Ｖｏ(ｗ)の大きさＶｏが、しきい値設定回路３５で設定された下限値Ｖｏminを下回ると、供給端ｕ，ｖ，ｗに負荷として接続された電気機器の作動も補償できなくなる虞れがあるので、判断時間ｔ１は比し、極めて短い時間になっている。
【０１００】
そして、ＰＬＣ回路３１は、両信号Ｓｈ，Ｓｌが所定時間ｔ２以上連続して供給されなくなった場合には、まず電磁開閉器ＸＲ，Ｘ１を通電し、通電中の電磁開閉器Ｘ３又はＸ２を通電遮断した上、通電遮断状態又は通電状態の電磁開閉器Ｘ２を通電又は通電遮断し、巻線回路部２を、図５に示した６％降下状態又は図４に示した４％降下状態から、図６に示したつなぎ状態を介在させながら、図４に示した６％降下状態又は図３に示した０％降下状態に切り換える（ステップＳ18，Ｓ21）。
【０１０１】
これにより、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、４％だけ降下させた電圧Ｖｏ(４％)又は０％だけ降下させた電圧Ｖｏ(０％)が、供給電圧Ｖｏ(ｕ)，Ｖｏ(ｖ)，Ｖｏ(ｗ)の大きさＶｏとして供給されることになる（ステップＳ11，Ｓ07）。
【０１０２】
上述した制御構成により構成されるＰＬＣ回路３１による自動制御によれば、電力調整装置１は、各相における作動電圧の供給端ｕ，ｖ，ｗから供給される出力電圧の大きさＶｏを、負荷として接続される電気機器の安定動作を保証した最適の節電状態の供給電圧Ｖｏ(ｕ)，Ｖｏ(ｖ)，Ｖｏ(ｗ)に制御することができる。
【０１０３】
なお、これら場合も、電磁開閉器ＸＲは、通電遮断状態又は通電状態の電磁開閉器Ｘ２が通電又は通電遮断され、巻線回路部２の電磁開閉器接点ｘ２ｕ，ｘ２ｖ，ｘ２ｗが閉成又は開成された後、通電遮断され、巻線回路部２の電磁開閉器接点ｘ３ｕ，ｘ３ｖ，ｘ３ｗが閉成又は開成されたときのサージを、その抵抗Ｒｕ，Ｒｖ，Ｒｗで吸収できるようになっている。
【０１０４】
その上で、本実施の形態の電力調整装置によれば、各主巻線１０ｕ，１０ｖ，１０ｗ、各第１の制御巻線２１ｕ，２１ｖ，２１ｗ、及び各第２の制御巻線２２ｕ，２２ｖ，２２ｗは、それぞれが千鳥結線で形成されている。
【０１０５】
そのため、Ｕ相，Ｖ相，Ｗ相の作動電圧の供給端ｕ，ｖ，ｗの中の何れか一つの供給端と中性点ｎとの間に、単相負荷としての電気機器を接続して使用した場合であっても、この電気機器から発生する高調波が節電装置及び商用電源のこの一相や中性点に重畳し、節電装置及び商用電源の他の各相にも影響を与える虞があっても、発生した高調波は、それぞれ千鳥結線で形成されている主巻線１０、第１の制御巻線２１、及び各第２の制御巻線２２部分で相殺してしまうことができ、節電装置及び商用電源の他の各相にも影響を与えて高調波を増加させることを防止できる。
【０１０６】
また、相間電圧の不平衡が起こり易っても、それぞれ千鳥結線で形成されている主巻線１０、第１の制御巻線２１、及び各第２の制御巻線２２によって、単相負荷としての電気機器が接続されていない相とのバランスをとることができ、相間電圧等の不平衡の発生も抑制できる。
【０１０７】
特に、図３に示した、各相における作動電圧の供給端ｕ，ｖ，ｗからは、電源から入力される各相電圧Ｖｉ(ｕ)，Ｖｉ(ｖ)，Ｖｉ(ｗ)の大きさＶｉに対し、０％分だけ降下させた電圧Ｖｏ(０％)、すなわち各相電圧Ｖｉ(ｕ)，Ｖｉ(ｖ)，Ｖｉ(ｗ)の大きさＶｉがそのまま、供給電圧Ｖｏ(ｕ)，Ｖｏ(ｖ)，Ｖｏ(ｗ)の大きさＶｏとして供給される状態であっても、巻線回路部２の制御巻線部２０ｕ，２０ｖ，２０ｗにおいては、電磁開閉器Ｘ０が通電遮断状態に制御されていることから、バイパス部２４ｕ，２４ｖ，２４ｗの常閉の電磁開閉器接点部ｘ０ｕ，ｘ０ｖ，ｘ０ｗは閉成されたままで、各相におけるタップ１ｕ，１ｖ，１ｗが各相同士で短絡された状態になっていることから、単相負荷の電気機器の接続によって生じた高調波や相間電圧等の不平衡は、第１の制御巻線２１に電流が流れることなく、千鳥結線された第１の制御巻線２１によって相殺でき、また、相間電圧等の不平衡の発生を防止できる。
【０１０８】
さらに、欠相等により相間電圧等の極端な不平衡が生じた場合であっても、本実施の形態の場合は、自動復帰機能付き開閉器５５が作動して中性線Ｎ−ｎを一時的に遮断し、主巻線１０、第１の制御巻線２１、及び各第２の制御巻線２２の保護をはかることができる。そして、極端な不平衡が解消し、それぞれ千鳥結線で形成されている主巻線１０、第１の制御巻線２１、及び各第２の制御巻線２２によってバランスをとれる状況に復帰すれば、自動復帰機能付き開閉器５５が作動して中性線Ｎ−ｎを導通復帰させるので、さらに信頼性も向上している。
【０１０９】
以上の如く、本実施の形態の電力調整装置１は構成されるが、本発明の電力調整装置は
上述した構成に限られるものではない。
【０１１０】
例えば、上述した実施の形態の電力調整装置１では、制御巻線は第１の制御巻線２１と第１の制御巻線２２とで構成したが、例えば第１の制御巻線２１又は第２の制御巻線２２の一方だけで構成してもよく、さらに多数の制御巻線を直列接続して構成してもよい。
【図面の簡単な説明】
【０１１１】
【図１】本実施の形態の電力調整装置の構成図である。
【図２】本実施の形態の電力調整装置における、各相の主巻線，第１の制御巻線，及び第２の制御巻線の券装状態を表わした図である。
【図３】各相供給端から電圧Ｖｏ(０％)を出力している場合の、電力調整装置における巻線回路部と制御回路部との状態図を示す。
【図４】各相供給端から電圧Ｖｏ(４％)を出力している場合の、電力調整装置における巻線回路部と制御回路部との状態図を示す。
【図５】各相供給端から電圧Ｖｏ(６％)を出力している場合の、電力調整装置における巻線回路部と制御回路部との状態図を示す。
【図６】図３乃至図５に示した回路状態のいずれか一つ状態から別の状態に切り換える際の瞬停防止のためのつなぎ状態についての、電力調整装置における巻線回路部と制御回路部との状態図である。
【図７】ＰＬＣ回路による供給電圧の制御構成を示したフローチャートである。
【図８】図７に示したＰＬＣ回路による制御構成に基づく、図３乃至図６に示した電磁開閉器の作動状態の遷移例を示したタイムチャートである。
【符号の説明】
【０１１２】
１  電力調整装置
２  巻線回路部
３  制御回路部
１０  主巻線
２０  制御巻線部
２１  第１制御巻線
２２  第２制御巻線
２３  第１の接続部
２４  バイパス部
２５  第２の接続部
２６  つなぎ回路部
２７  ブレーカ
２８  アレスタ
３１  ＰＬＣ回路
３２  電源入力回路
３３  電圧検出回路
３４  比較回路
３５  しきい値設定回路
３６  降下電圧切換自動判定回路
３７  表示灯
３８  節電状態報知回路
３９  自動／手動切換スイッチ
４０  手動選択設定スイッチ
４１  手動設定回路
４２  ブレーカ
４３  異常時リセット回路
４４  障害表示回路
５５  自動復帰機能付き開閉器
【図１】
2005208771.tif 000003
【図２】
2005208771.tif 000004
【図３】
2005208771.tif 000005
【図４】
2005208771.tif 000006
【図５】
2005208771.tif 000007
【図６】
2005208771.tif 000008
【図７】
2005208771.tif 000009
【図８】
2005208771.tif 000010